(57)【要約】【課題】  吊戸の吊元固定が不意に解除されないように工夫した吊戸の開閉装置を提供する。【解決手段】  吊戸５Ａ〜５Ｄの上部に取付けた上ランナー６を戸枠１の上レール２で走行ガイドするとともに、吊戸５Ａ〜５Ｄの下部に取付けた下ランナー８を戸枠１の下レール３でガイドして、戸枠１の開口を開閉するようにした吊戸５Ａ〜５Ｄの開閉装置であって、前記上レール２に、前記上ランナー６を走行方向から引っ掛けて係止可能な上ストッパー２５を設けるとともに、前記下レール３に、前記下ランナー８を下方に落とし込んで係止可能な下ストッパー２８を設けている。【選択図】  図２
2006063577.tif 000002
【特許請求の範囲】
【請求項１】
吊戸の上部に取付けた上ランナーを戸枠の上レールで走行ガイドするとともに、吊戸の下部に取付けた下ランナーを戸枠の下レールでガイドして、戸枠の開口を開閉するようにした吊戸の開閉装置であって、
前記上レールに、前記上ランナーを走行方向から引っ掛けて係止可能な上ストッパーを設けるとともに、前記下レールに、前記下ランナーを下方に落とし込んで係止可能な下ストッパーを設けていることを特徴とする吊戸の開閉装置。
【請求項２】
前記上ストッパーは、側面視で略Ｖ字状に形成した弾性部を有して、前記上ランナーに形成した略Ｖ字状溝に弾性力で嵌り込むようになることを特徴とする請求項１記載の吊戸の開閉装置。
【請求項３】
前記下ストッパーは、側面視で略Ｕ字状に形成した凹部を有して、前記下ランナーは、弾性力で凹部に嵌まり込むようになることを特徴とする請求項１または２記載の吊戸の開閉装置。
【発明の詳細な説明】
【技術分野】
【０００１】
本発明は、吊元固定を工夫した吊戸の開閉装置に関する。
【背景技術】
【０００２】
従来、戸枠の上レールで走行ガイドされる上ランナーに、吊戸の上部に取付けた取付け部材を吊下げ連結するとともに、吊戸の下部に取付けた下ランナーを戸枠の下レールでガイドして、戸枠の開口を開閉するようにした吊戸の開閉装置がある。
【０００３】
前記吊戸が折戸である場合、一方の折戸の端部を吊元固定して、他方の折戸とともに旋回させながら折り畳んで、戸枠の開口を開くようになっている。
【０００４】
そして、折戸の吊元固定としては、上ランナーを上レールの上ストッパーで係止するとともに、下ランナーを下レールの下ストッパーで係止するものがある（特許文献１参照）。
【特許文献１】特許第３２２２１０２号公報
【発明の開示】
【発明が解決しようとする課題】
【０００５】
しかしながら、従来の吊元固定の上ストッパーと下ストッパーは、いずれもフォーク状溝で上ランナーと下ランナーの軸部分をそれぞれ挟み込んで係止するだけであったから、固定力が充分でないために、他方の折戸とともに旋回させながら展開して、戸枠の開口を閉じる際に、一方の折戸が強く引っ張られると、上ストッパーと下ストッパーのフォーク状溝から上ランナーと下ランナーの軸部分が抜け外れて、一方の吊戸の吊元固定が不意に解除されてしまうという不具合があった。
【０００６】
本発明は、前記問題を解消するためになされたもので、吊戸の吊元固定が不意に解除されないように工夫した吊戸の開閉装置を提供することを課題とするものである。
【課題を解決するための手段】
【０００７】
前記課題を解決するために、本発明は、吊戸の上部に取付けた上ランナーを戸枠の上レールで走行ガイドするとともに、吊戸の下部に取付けた下ランナーを戸枠の下レールでガイドして、戸枠の開口を開閉するようにした吊戸の開閉装置であって、
前記上レールに、前記上ランナーを走行方向から引っ掛けて係止可能な上ストッパーを設けるとともに、前記下レールに、前記下ランナーを下方に落とし込んで係止可能な下ストッパーを設けていることを特徴とするものである。
【０００８】
ここで、吊戸の上部への上ランナーの取付けは、例えば、戸枠の上レールで走行ガイドされる上ランナーに、吊戸の上部に取付けたベースカップを吊下げ連結してなされるようにしても良い。
【０００９】
前記上ストッパーは、側面視で略Ｖ字状に形成した弾性部を有して、前記上ランナーに形成した略Ｖ字状溝に弾性力で嵌り込むようになる構成とすることが好ましい。
【００１０】
前記下ストッパーは、側面視で略Ｕ字状に形成した凹部を有して、前記下ランナーは、弾性力で凹部に嵌まり込むようになる構成とすることが好ましい。
【発明の効果】
【００１１】
本発明によれば、上レールの引っ掛け係止部で上ランナーを走行方向から引っ掛けて係止することで、吊戸の吊元上部が固定されるとともに、下レールの落とし込み係止部に下ランナーを落とし込んで係止することで、吊戸の吊元下部が固定されるようになる。
【００１２】
そして、吊戸が折戸である場合には、通常は、フリーの折戸の上下方向の中間または中間よりも下方に位置する取手で折戸を開閉操作することから、吊元固定の折戸の下ランナーは、下レールの落とし込み係止部に落とし込んで係止されているので、固定力が充分である。このために、折戸を展開して戸枠の開口を閉じる際に、フリーの折戸の引き操作に伴って、吊元固定の折戸が強く引っ張られても、下ランナーが下ストッパーから抜け外れないので、吊元固定が不意に解除されるおそれがなくなる。
【００１３】
一方、吊元固定を解除したい場合には、折戸を折り畳んだ状態で、上下方向の中間よりも上方部分を走行方向に強く引くと、上レールの上ストッパーから上ランナーの引っ掛け係止が外れて折戸が僅かに傾き、この状態のまま折戸をさらに強く引くと、下レールの下ストッパーから下ランナーの落とし込み係止が斜め方向に抜け外れるので、吊元固定を意識的に解除できるようになる。
【発明を実施するための最良の形態】
【００１４】
以下、本発明を実施するための最良の形態について、図面を参照しながら詳細に説明する。
【００１５】
図１〜図３に示すように、クローゼット等の出入り口部分の壁部に横長長方形状の戸枠１が設置され、戸枠１の上部に左右方向に延在する上レール２が埋設され、戸枠１の下部に、左右方向に延在する下レール３が埋設されている。
【００１６】
前記戸枠１の開口は、例えば４枚の折戸５Ａ〜５Ｄで閉じられるようになっていて、左側２枚の折戸５Ａ，５Ｂと、右側２枚の折戸５Ｃ，５Ｄは、それぞれ内縁部同士がヒンジ金具１１で中折れ可能に連結されている。
【００１７】
前記上レール２では、各折戸５Ａ〜５Ｄに対応する４個の上ランナー６が左右方向に走行ガイドされ、各上ランナー６に、各折戸５Ａ〜５Ｄの上部にそれぞれ取付けられたベースカップ７が吊下げ連結されるとともに、各折戸５Ａ〜５Ｄの下部にそれぞれ取付けられた下ランナー８が下レール３でガイドされるようになっている。
【００１８】
そして、左端の折戸５Ａを吊元固定して、折戸５Ｂの取手９を持って左方Ｌに引けば、左側２枚の折戸５Ａ，５Ｂがヒンジ部分で手前方向に折り畳まれながら、戸枠１の開口の左半分が開かれるとともに、右端の折戸５Ｄを吊元固定して、折戸５Ｃの取手１０を持って右方Ｒに引けば、右側２枚の折戸５Ｃ，５Ｄがヒンジ部分で手前方向に折り畳まれながら、戸枠１の開口の右半分が開かれるようになる。
【００１９】
図４〜図６に詳細に示すように、前記上ランナー６は、基台１３の前後左右に計４個のローラ１４が設けられ、このローラ１４によって、上ランナー６が上レール２内を左右方向に走行するようになる。
【００２０】
前記基台１３の下部には吊下げ用軸部材１５が垂下状態で取付けられ、この軸部材１５の下端には大径の頭部１５ａが設けられている。また、前記基台１３の上部には、側面視で略Ｖ字状溝１３ａが形成されている。
【００２１】
前記ベースカップ７は、折戸５Ａの左端上部、折戸５Ｂの右端上部、折戸５Ｃの左端上部、折戸５Ｄの右端上部にそれぞれ取付けられている。
【００２２】
具体的には、前記折戸５Ａ〜５Ｄの左端または右端の上部には、図８に示すように、有底の大径嵌合穴５ａが形成され、この大径嵌合穴５ａの底部中心に小径ボス穴５ｂが形成されるとともに、小径ボス穴５ｂの中心よりも下方の左右位置に、タッピングねじ用穴５ｃが形成されている。
【００２３】
前記ベースカップ７は、図４〜図６に示したように、前記上ランナー６の吊下げ用軸部材１５に側方から嵌め込んで係止可能な係止凹部７Ｂが設けられた円筒状の基体部７Ａと、この基体部７Ａの前部のフランジ部７Ｃとで構成されて、前記基体部７Ａの後部には、図７および図９に詳細に示すように、外周に複数の圧入用凹凸段部７ｂを有するボス部７ａが形成されている。
【００２４】
前記ベースカップ７は、基台部７Ａを折戸５Ａ〜５Ｄの大径嵌合穴５ａに嵌合させながらボス部７ａを小径ボス穴５ｂに圧入して、フランジ部７Ｃを折戸５Ａ〜５Ｄの表面に当てがい、フランジ部７Ｃの座ぐり穴７ｃからタッピングねじ１２（図３、図１５参照）を前記タッピングねじ用穴５ｃにねじ込むことにより、折戸５Ａ〜５Ｄの上部に固定状態で取付けられるようになる。
【００２５】
前記係止凹部７Ｂには、平面視でΩ字状のクリップ部７ｄが形成され、このクリップ部７ｄは、上ランナー６の吊下げ用軸部材１５の頭部１５ａに側方から無理嵌めしたときに、頭部１５ａが嵌まり込む内径に設定されている。このクリップ部７ｄの奥には、吊下げ用軸部材１５に側方から嵌め込まれる軸凹部７ｅが形成されている。
【００２６】
前記係止凹部７Ｂのクリップ部７ｄの下方には、図１０に示すように、ロックレバー１７がヒンジ軸１７ａで上下揺動自在に支持されて、このロックレバー１７は、スプリング１８で上方に付勢された状態で、ほぼ水平位置で当て止められている。
【００２７】
そして、上ランナー６に折戸５Ａ〜５Ｄをそれぞれ取付ける際には、後述するように、下ランナー８を折戸５Ａ〜５Ｄとともにピボット２３を下レール３に落とし込んだ状態で〔図１４（ａ）参照〕、図１０（ａ）（ｂ）のように、上レール２の上ランナー６の吊下げ用軸部材１５の頭部１５ａに、折戸５Ａ〜５Ｄのベースカップ７のクリップ部７ｄを内方に向かって無理嵌めして、上ランナー６に折戸５Ａ〜５Ｄを倒れないように仮固定する〔図１４（ｂ）参照〕。
【００２８】
この状態で、図１０（ｃ）のように、折戸５Ａ〜５Ｄを上方に持ち上げると〔図１４（ｃ）参照〕、ロックレバー１７がスプリング１８の付勢力に抗して吊下げ用軸部材１５の頭部１５ａで押されて下揺動され、このロックレバー１７の下向き傾斜によって、持ち上げに伴って折戸５Ａ〜５Ｄが内方に押され、頭部１５ａがクリップ部７ｄの下方に抜け外れて、図１１のように、係止凹部７Ｂの軸凹部７ｅが吊下げ用軸部材１５に側方から嵌め込まれるようになる。
【００２９】
これとともに、頭部１５ａによる押し下げが解除されたロックレバー１７がスプリング１８の付勢力でほぼ水平位置に復帰することで頭部１５ａをロックするので、吊下げ用軸部材１５が軸直交方向に移動できなくなる。
【００３０】
その後、折戸５Ａ〜５Ｄの持ち上げをやめて手を離すと、吊下げ用軸部材１５の頭部１５ａに係止凹部７Ｂの軸凹部７ｅの下面７ｆが引っ掛かるので、上ランナー６に、折戸５Ａ〜５Ｄのベースカップ７が吊下げ連結されて本固定されるようになる。
【００３１】
なお、上ランナー６から折戸５Ａ〜５Ｄを取外す際には、ロックレバー１７を下揺動方向に手操作して吊下げ用軸部材１５の頭部１５ａのロックを解除し、折戸５Ａ〜５Ｄを外方に押すと、吊下げ用軸部材１５から係止凹部７Ｂの軸凹部７ｅが抜け外れ、下面７ｆの引っ掛けが解除されて自重で下がる折戸５Ａ〜５Ｄに伴って、吊下げ用軸部材１５の頭部１５ａがクリップ部７ｄに再び入り込むので〔図１０（ｂ）参照〕、折戸５Ａ〜５Ｄをさらに外方に押すと、クリップ部７ｄが吊下げ用軸部材１５の頭部１５ａから無理外しされて、折戸５Ａ〜５Ｄを上ランナー６から取外せるようになる。
【００３２】
前記下ランナー８は、折戸５Ａの左端下部、折戸５Ｂの右端下部、折戸５Ｃの左端下部、折戸５Ｄの右端下部にそれぞれ取付けられている。
【００３３】
この下ランナー８は、図２および図３に示すように、有頂円筒状のスリーブ２０内に軸部材２１が上下摺動自在に嵌合されて、この軸部材２１はスプリング２２で下方に突出する方向に付勢されている。この軸部材２１の下端部には、ピボット（ローラ）２３が水平方向回りに回転自在に取付けられている。
【００３４】
前記下ランナー８は、スリーブ２０を折戸５Ａ〜５Ｄの圧入穴５ｄに下方から圧入することにより、折戸５Ａ〜５Ｄの下部に固定状態で取付けられるようになる。
【００３５】
前記下ランナー８は、折戸５Ａ〜５Ｄとともにピボット２３を下レール３に落とし込むことで、下レール３に沿って左右方向にガイドされるようになる〔図１４（ａ）参照〕。
【００３６】
前記折戸５Ａ〜５Ｄにおいて、左端の折戸５Ａと右端の折戸５Ｄとをそれぞれ吊元固定するためのストッパー構造を次に説明する。
【００３７】
前記上レール２の左右端部には、図２に示すように、左右端部の折戸５Ａ，５Ｄの上ランナー６をそれぞれ引っ掛けて係止可能な上ストッパー２５がそれぞれ設けられている。なお、図２では、左端部の上ストッパー２５のみを図示している。
【００３８】
この上ストッパー２５は、図１２に示すように、合成樹脂製のストッパー本体２５ａに、側面視で下向き略Ｖ字状に形成された弾性部２５ｂが設けられるとともに、ねじ２６の回転操作で上下移動可能な挟み板２７が取付けられている。そして、ストッパー本体２５ａを上レール２内に嵌め込み、ツバ部２５ｃを上レール２の下面に当てがって、ねじ２６の回転操作で挟み板２７を下移動（矢印ｆ参照）させて上レール２のフランジ部２ａとの間に挟み込むことにより、上レール２に取付けることができる。
【００３９】
この上ストッパー２５の弾性部２５ｂは、図２に示すように、上ランナー６を上レール２の左端部（または右端部）まで走行させたときに、上ランナー６の基台１３の略Ｖ字状溝１３ａに走行方向から弾性力で嵌り込んで、上ランナー６を引っ掛けて係止できるようになる。
【００４０】
前記下レール３の左右端部には、図２に示すように、折戸５Ａ，５Ｄの下ランナー８のピボット２３を下方に落とし込んで係止可能な下ストッパー２８がそれぞれ設けられている。なお、図２では、左端部の下ストッパー２８のみを図示している。
【００４１】
この下ストッパー２８は、図１３に示すように、鋼板をプレス成形して、側面視で略Ｕ字状に形成された凹部２８ａが長さ方向のほぼ中央部に設けられるとともに、長さ方向の一端側には、ねじ２９の回転操作で上下移動可能な挟み板３０が取付けられている。この下ストッパー２８の他端側は、下レール３の底方向に向かう傾斜に形成されている。
【００４２】
そして、下ストッパー２８を下レール３内に嵌め込み、下ストッパー２８の一端側を下レール３の上面に当てがって、ねじ２９の回転操作で挟み板３０を上移動（矢印ｇ参照）させて下レール３のフランジ部３ａとの間に挟み込むことにより、下レール３に取付けることができる。
【００４３】
この下ストッパー２８の凹部２８ａは、図２に示すように、下ランナー８を下レール２３の左端部（または右端部）まで走行させたときに、下ランナー８のピボット２３が凹部２８ａにスプリング２２の弾性力で嵌り込んで、ピボット２３を下方に落とし込んで係止できるようになる。
【００４４】
前記のように折戸５Ａ〜５Ｄの開閉装置を構成すれば、上レール２の上ストッパー２５の弾性部２５が上ランナー６の基台１３の略Ｖ字状溝１３ａに走行方向から弾性力で嵌り込んで、上ランナー６を引っ掛けて係止することで、折戸５Ａ，５Ｄの吊元上部が固定されるとともに、下レール３の下ストッパー２８の凹部２８ａに下ランナー８のピボット２３を落とし込んで係止することで、折戸５Ａ，５Ｄの吊元下部が固定されるようになる。
【００４５】
そして、通常は、フリーの折戸５Ｂ，５Ｃの上下方向の中間よりも下方に位置する取手９，１０で折戸５Ａ，５Ｂと５Ｃ，５Ｄをそれぞれ開閉操作することから、吊元固定の折戸５Ａ，５Ｄの下ランナー８は、下レール３の下ストッパー２８の凹部２８ａにピボット２３を落とし込んで係止されているので、固定力が充分である。
【００４６】
このために、折戸５Ａ〜５Ｄを展開して、戸枠１の開口を閉じる際に、フリーの折戸５Ｂ，５Ｃの引き操作に伴って、吊元固定の折戸５Ａ，５Ｄが強く引っ張られても、下ランナー８のピボット２３が下ストッパー２８の凹部２８ａから抜け外れないので、吊元固定が不意に解除されるおそれがなくなる。
【００４７】
一方、折戸５Ａ，５Ｄの吊元固定を解除したい場合には、図１５（ｂ）のように、例えば右側の折戸５Ｃ，５Ｄを折り畳んだ状態で、両手で折戸５Ｃ，５Ｄを抱え込み、上下方向の中間または中間よりも上方部分を左走行方向（矢印ａ参照）に強く引くと、上レール２の上ストッパー２５の弾性部２５から上ランナー６の基台１３の略Ｖ字状溝１３ａの引っ掛け係止が外れて折戸５Ｃ，５Ｄの上部が僅かに左方向に傾き（矢印ｂ参照）、この状態のまま折戸５Ｃ，５Ｄをさらに左方向に強く引くと、下レール３の下ストッパー２８の凹部２８ａから下ランナー８のピボット２３の落とし込み係止が斜め方向に抜け外れるので、右側の折戸５Ｃ，５Ｄの吊元固定を意識的に解除できるようになる。なお、左側の折戸５Ａ，５Ｂの吊元固定の解除も同様にして行うことができる。
【００４８】
前記実施形態において、上ストッパー２５は、略Ｖ字状の弾性部２５ａを有するだけの簡単な構成であり、上ランナー６の基台１３に略Ｖ字状溝１３ａを追加形成するだけであるから、コスト安である。
【００４９】
また、下ストッパー２８は、略Ｕ字状の凹部２８ａを有するだけの簡単な構成であり、下ランナー８は既存のものをそのまま使用できるから、コスト安である。
【００５０】
前記実施形態では、吊戸として折戸を例にとったが、互い違いの引戸を吊元固定する場合にも本発明は適用できるものである。
【図面の簡単な説明】
【００５１】
【図１】折戸であり、（ａ）は閉じた状態の正面図、（ｂ）は左側半分を開いた平面断面図である。
【図２】上ランナー、ベースカップ、下ランナーの正面図である。
【図３】上ランナー、ベースカップ、下ランナーの側面図である。
【図４】上ランナーにベースカップを吊下げ連結した後の正面図である。
【図５】上ランナーにベースカップを吊下げ連結する前の斜視図である。
【図６】上ランナーにベースカップを吊下げ連結した後の斜視図である。
【図７】ベースカップの背面側斜視図である。
【図８】折戸の要部であり、（ａ）は平面図、（ｂ）は側面図、（ｃ）は正面図である。
【図９】ベースカップの基体部の圧入用凹凸段部の平面断面図である。
【図１０】（ａ）〜（ｃ）は、上ランナーに折戸を取付ける要領の側面図である。
【図１１】上ランナーに折戸を取付ける要領の側面図である。
【図１２】上ストッパーであり、（ａ）は平面図、（ｂ）は側面図、（ｃ）は正面図、（ｄ）は斜視図である。
【図１３】下ストッパーであり、（ａ）は平面図、（ｂ）は正面図、（ｃ）は側面図、（ｄ）は斜視図である。
【図１４】（ａ）〜（ｃ）は、折戸の取付け要領の斜視図である。
【図１５】（ａ）は折戸の取外し要領の斜視図、（ｂ）は折戸の吊元固定の解除要領の斜視図である。
【符号の説明】
【００５２】
１      戸枠
２      上レール
３      下レール
５Ａ〜５Ｄ  折戸（吊戸）
６      上ランナー
７      ベースカップ
８      下ランナー
１３    基台
１３ａ  逆Ｖ字状溝
１５    吊下げ用軸部材
２３    ピボット
２５    上ストッパー
２５ｂ  弾性部
２８    下ストッパー
２８ａ  凹部
【図１】
2006063577.tif 000003
【図２】
2006063577.tif 000004
【図３】
2006063577.tif 000005
【図４】
2006063577.tif 000006
【図５】
2006063577.tif 000007
【図６】
2006063577.tif 000008
【図７】
2006063577.tif 000009
【図８】
2006063577.tif 000010
【図９】
2006063577.tif 000011
【図１０】
2006063577.tif 000012
【図１１】
2006063577.tif 000013
【図１２】
2006063577.tif 000014
【図１３】
2006063577.tif 000015
【図１４】
2006063577.tif 000016
【図１５】
2006063577.tif 000017